(57)【要約】【課題】  物品の輸送のための、設備の向上であり、物品は、可変的な識別情報を備えられるコンテナに入れ輸送を行なうものであり、これにより、資料、人員、廃棄物処理およびコストの低減をもたらすことを課題とする。【解決手段】  物品を輸送するための設備であって、該物品を、少なくとも１つの電子表示手段（２０）を備えるコンテナ（１０）に入れて輸送するものであり、表示手段（２０）に表示される情報を生成するための生成手段（３０）と、表示される情報を提供するための少なくとも１の装置（５０）における提供手段と、該装置（５０）から、コンテナの表示手段（２０）に、データを送信する送信手段（４０）と、を有する物品を輸送するための設備。【選択図】  図１
2008508154.tif 000002
【特許請求の範囲】
【請求項１】
物品を輸送するための設備であって、該物品を、少なくとも１つの電子表示手段を備えるコンテナに入れて輸送するものであり、
表示手段に表示される情報を生成するための生成手段と、
表示される情報を提供するための、少なくとも１つの装置における提供手段と、
該装置から、コンテナの表示手段に、データを送信する送信手段と、
を有することを特徴とする物品を輸送するための設備。
【請求項２】
請求項１に記載の設備であって、
前記電子表示手段が単安定液晶ディスプレイに基づく構成要素であることを特徴とする設備。
【請求項３】
請求項１に記載の設備であって、
電子表示手段が双安定の液晶ディスプレイに基づく構成要素であることを特徴とする設備。
【請求項４】
請求項３に記載の設備であって、
双安定の液晶ディスプレイが、ＦＬＣＤ、ＥＡＳＬ、ＺＢＤ、ＢｉＮｅｍあるいはＣｈＬＣＤ技術に基づいたディスプレイであることを特徴とする設備。
【請求項５】
請求項１に記載の設備であって、
電子表示手段が双安定の要素を備えた電子インクに基づく構成要素であることを特徴とする設備。
【請求項６】
請求項１ないし５に記載の設備であって、
表示される情報がテキスト、および／または、グラフィックのイメージであることを特徴とする設備。
【請求項７】
請求項１ないし５に記載の設備であって、
表示される情報が、装置によって光学的に検知できる、暗号化された情報を含むことを特徴とする設備。
【請求項８】
請求項７に記載の設備であって、
表示される情報がバーコードであることを特徴とする設備。
【請求項９】
請求項５もしくは６のいずれか１つもしくは両方に記載の設備であって、
該設備は、表示された暗号化された情報を光学的に検知するための手段を有することを特徴とする設備。
【請求項１０】
請求項１から９の１以上の請求項に記載の設備であって、
輸送された物品は郵便であることを特徴とする設備。
【請求項１１】
請求項１から１０の１以上の請求項に記載の設備であって、
コンテナはＲＦＩＤ応答機を有することを特徴とする設備。
【請求項１２】
請求項１１に記載の設備であって、
生成手段、前記装置および送信手段は、ＲＦＩＤ応答機へのデータを生成し送信するための手段を有することを特徴とする設備。
【請求項１３】
請求項１ないし１２の１つ以上の請求項に記載の設備であって、
少なくとも前記生成手段が、中央データ処理ユニットに接続されることを特徴とする設備。
【請求項１４】
請求項１ないし１３の１つ以上の請求項に記載の設備であって、
前記装置がソート装置であることを特徴とする設備。
【請求項１５】
請求項１ないし１４の１つ以上の請求項に記載の設備であって、
前記装置が携帯型の装置であることを特徴とする設備。
【請求項１６】
請求項１ないし１５の１つ以上の請求項に記載の設備であって、
前記装置がゲートであることを特徴とする設備。
【請求項１７】
物品を輸送する方法であって、少なくとも１つの電子表示手段を備えるコンテナに入れて物品を輸送する方法において、
表示手段に表示される情報の生成手段における生成するステップと、
少なくとも１つの装置における表示される情報を提供するステップと、
装置からコンテナの表示手段に送信手段による、データの送信するステップと、
を有することを特徴とする物品を輸送する方法。
【請求項１８】
請求項１７に記載の方法であって、
コンテナが前記装置の範囲内にある場合に、表示される情報が自動的に送信されることを特徴とする物品を輸送する方法。
【請求項１９】
請求項１７もしくは１８の一方もしくは両方に記載の方法であって、
表示される情報が、オペレータのマニュアル動作によって送信されることを特徴とする方法。
【発明の詳細な説明】
【技術分野】
【０００１】
本発明は、少なくとも１つの電子的表示手段を設けたコンテナに入った状態で輸送される物体の、輸送のために設備に関するものである。
【０００２】
さらに、本発明は、少なくとも１つの電子的表示手段を設けたコンテナに入った状態で輸送される物体の、輸送のための方法に関するものである。
【背景技術】
【０００３】
商品、コンテナ、パッケージング、あるいはパレットのような物体を、視覚的認識による識別に用いるものとして、例えば、内容、輸送目的地や、商品の価格などの情報を伝えるラベルを商品に設けることは、すでに知られた手法である。この識別により、人は必要とする情報を読み取ることができ、適切な行動を行うことができる、例えば、示された目的地へ物品を輸送するなどである。もし、情報が変わる場合には、変わるごとに、問題の物品に新しい識別を適合する必要がある。典型的には、情報は、ラベルを手で取り除き、新しい情報と取り替える。古いラベルは、完全に新しいものに取り替えることができ、例えば、新しいラベルを古いものの上に貼り付けることができる。
【０００４】
そのようなラベルは、例えば特許文献１に記述されている。このラベルは、ディスプレイ層、活性グリッド層、プロセッサー層、アンテナ層および記憶エレメントのような、いくつかの層から構成され、ディスプレイ層は支持物上に配置された電子インクを有する。表示される情報はアンテナ層によってラベルに送信できるものである。
【０００５】
電子ラベルの典型的な使用は、特許文献２に記述されている。これは可変的に商品の価格を示すために電子ラベルを示している。このプロセスでは、電子ラベルは、可変的な価格か付加的な製品情報をディスプレイに供給することができる、商品を置く棚に用いられる。
【０００６】
輸送または物流のシステムでの物品の視覚的に検知できる識別を、電子的に複数回、読み書きできる応答機を含むＲＦＩＤ技術に取り替えることは、同様に既知の手法である。このようなシステムは、応答機に対して、多くの情報を電子的に読み取り、および書き込みできる長所があり、自動輸送、ソート、追跡、あるいは分配を、情報を視覚化するディスプレイなしでコントロールできる。
【０００７】
郵便セクターにおけるＲＦＩＤ応答機の使用の例は、特許文献３に示されている。ＲＦＩＤ応答機は郵便に添付され、郵便物は、読み込みおよび読み出しできる情報に基づいて、ソートされ、最終目的地へ輸送される。
【０００８】
ＲＦＩＤラベルの別の使用は、特許文献４に示されている。これは、応答機を装備したパレットのようなロード・キャリヤーについて示すものである。ここで、所有者、内容あるいはラベルが付けられたロード・キャリヤーのロード・キャリヤー識別番号のような情報が、応答機に格納されている。
【０００９】
特に、郵便のシステムのような物流システムでは、これは従来の紙ラベルを電子ラベルに取り替えることが有用である。識別の信頼性を増加させ、資料、人員、廃棄物処理および他のコストを本質的に縮小できる。
【特許文献１】国際公開第００／１６１８９号パンフレット
【特許文献２】国際公開第００／６７１１０号パンフレット
【特許文献３】国際公開第０３／０９８５３３号パンフレット
【特許文献４】独国実用新案第２０２０７９７２号明細書
【発明の開示】
【発明が解決しようとする課題】
【００１０】
本発明の課題は、物品の輸送のための、設備の向上であり、物品は、可変的な識別情報を備えられるコンテナに入って輸送されるものであり、ここにおいて、資料、人員、廃棄物処理およびコストの低減がもたらされるものである。
【課題を解決するための手段】
【００１１】
発明によれば、この物品は、独立クレーム１および１７の内容によって達成され、発明の有利な改善は、従属するクレーム２および１６〜１８、１９までに、含まれる。
【００１２】
本発明の物品輸送のための設備（物品はコンテナに入った状態で輸送される）は少なくとも、１つの電子ディスプレイ手段を備えることを必要とする。少なくとも１つの装置において、当該設備は、さらに表示される情報を提供するための提供手段だけでなく、表示手段に表示される情報を生成するための生成手段をも含む。さらに、この設備は、装置からコンテナの表示手段にデータを送信するための送信手段を含む。生成手段、提供手段および送信手段は、表示手段に情報を送信するための装置を、表示手段に情報を送信する装置を構成する１つの装置の中に組み込むことができる。しかしながら、個々の構成要素も、互いから別々に配置でき、これにともない、データは手段間で送信することもできる。本発明の特に好ましい実施例においては、少なくとも、生成手段が中央のデータ処理ユニットに接続され、当該中央のデータ処理ユニットは、電子ラベルへの情報の流れをコントロールし格納するものである。
【００１３】
発明の特に好ましい実施例においては、輸送される物品は郵便であり、当該郵便は郵便のシステムで輸送されか、またはソートされるものである。データをコンテナの電子ラベルに送る装置としての本設備は、ソート機を有する。オペレータはソート装置の入口にコンテナを送るものであり、コンテナは、調査状態において、ソート装置の開始指示により識別される。ソート工程が終わった後、手紙の積み重ねは、この装置の出口において蓄積される。また、これらの手紙は、コンテナの次の輸送目的地を示す識別を持つコンテナに集められる。この出口においては、コンテナに関係している目的地情報は、コンテナに付けられた電子ディスプレイに自動的に送信される。オペレータはそのディスプレイを読むことができ、コンテナは次のステーションへ輸送される。
【００１４】
輸送コンテナ上の電子表示手段は、例えば、単安定液晶ディスプレイに基づく構成要素をであってもよい。さらに、双安定の液晶ディスプレイに基づく構成要素も使用することができる。このような双安定の液晶ディスプレイとしては、ＦＬＣＤ、ＥＡＳＬ、ＺＢＤ、ＢｉＮｅｍあるいはＣｈＬＣＤ技術に基づくものを用いることができる。発明の別の実施例では、電子表示手段は双安定のエレメントを備えた電子インクに基づく構成要素である。情報は、テキストとして、および（または）グラフィックの像としてこのディスプレイ上に表示することができる。１つの実施例では、表示される情報は、例えば、コンテナの識別用に典型的に使用されるバーコードのような、暗号化された情報含む。バーコード情報を検知するために、この設備は、暗号化された情報を光学的に検知するスキャナのような手段を有する。
【００１５】
発明の特に好ましい実施例では、電子ディスプレイに加えて、輸送されるコンテナはさらにＲＦＩＤ応答機を有する。コンテナの識別は、このように情報、および応答機の視覚的光学的の検知のための手段であるディスプレイとの組み合せであり、この手段の情報は読み込み読み取出し可能である。２つの構成要素に格納されるデータは同じか、ほかに異なる情報であってもよい。読み出し情報に基づいて、コンテナは、自動的に例えば、人がいないエリアで、コントロールすることができる。さらに、コンテナの輸送は追跡することができ、また、輸送統計を生成することができる。
【００１６】
表示される情報だけでなく、応答機データも生成および送信のために、生成手段、前記装置および送信手段は、さらにＲＦＩＤ応答機にデータを送信するための手段を有する。これらの追加の手段は、望ましくは、ディスプレイ情報を処理する手段である。
【００１７】
ソート装置に加えて、情報を送信するために使用される装置は、さらに携帯型の装置、あるいはゲートであってもよい。情報を送信する目的のために、携帯型の装置は、コンテナ識別の受信範囲内のオペレータによって特定される。しかし、ゲートは、コンテナがこの範囲を通って移動する場合、一定の範囲で、情報が自動的に送信される。
【００１８】
本発明は、さらに物品（少なくとも１つの電子表示手段を備えられるコンテナに入った状態で輸送される）を輸送する方法を含む。本発明の方法は、表示手段に表示される情報の生成手段中の生成を必要とするものである。表示される情報は少なくとも１つの装置の中で提供される。また、データは装置からコンテナの表示手段に送信手段によって送信される。
【００１９】
本方法は、コンテナが装置のある範囲内にある場合、表示される情報が自動的に送信されるような方法で構成できる。プロセス・シーケンスの別の可能性は、表示される情報がオペレータによってマニュアル操作によって送信されることである。
【発明の効果】
【００２０】
コンテナの識別のための電子ラベルの使用は、ラベルの張替え不要で、可変的な情報を表示できる長所がある。その結果、資料、人員、廃棄物処理、およびその他のコンテナの識別のためのコストが減少する。更に、ラベルが偶然張り替えられたり、紙ラベルを生成して手で添付したりする必要がない。代わりに、本発明による設備での可変的な情報は、コントロールされモニターすることができ、コンテナ上のシステムに送信することができ、それにより、コンテナ識別の信頼性が高まる。
【発明を実施するための最良の形態】
【００２１】
本願の設備は、１つのシステム内の電子ディスプレイへのデータを生成し送信するための様々な装置を使用できる。これは、輸送の様々なプロセス・シーケンス、および識別が異なるステーションで出されるソートするシステムを構成できるという長所を持つ。設備のいくつかのステーションで、コンテナの柔軟な取り扱いを必要とする状況があるので、例えば、ポータブルの携帯型の装置を使用することが有利とになりえる。しかし、ソート装置の出口のような、他のステーションでは、自動変速装置用の設置された装置が有利になりえる。例えば、コンテナが動いている間、コンテナの輸送を中断するのではなく、新しい識別をむしろ送信することが有利な場合、ゲートを用いることができる。
【実施例１】
【００２２】
発明のさらなる利点、特徴的で実際的な改良は、図１に参照される実施例およびクレームで示される。
【００２３】
図１は、コンテナ１０に入れられる物品の輸送用設備における実施例を示す。これは特に、郵便がいくつかのステーション間において、コンテナに入って輸送される郵便のシステムに適しているばかりではなく、当該設備は、物品上の電子ディスプレイによって物品の可変的な識別が実行される他のシステムでも使用できる。
【００２４】
郵便を輸送するためのコンテナは、互いの上に積み重ねたり、さらに、カバーで閉じたり、する方法で典型的に構成される。コンテナは、少なくとも１つの電子ディスプレイ２０を持っている電子ラベルを備えている。
【００２５】
電子ラベルは少なくとも１つの光学的、あるいは視覚的に検知できる電子ディスプレイを持っている。単安定ディスプレイ・システムにおいては、電力が不足する場合、表示された情報が見えないので、好ましくは、双安定のディスプレイ装置を電子情報媒介として使用する。様々な技術（例えば液晶に基づくもの）はディスプレイとして使用することができる。適切なディスプレイ技術を選択する際に、適用エリアにより、柔軟性、衝撃抵抗、耐用年数、メンテナンス要件、天候抵抗および作動温度範囲、書き込み回数および生成間隔のような尺度を考慮に入れなければならない。
【００２６】
利用できるディスプレイ技術はＦＬＣＤ（強誘電性液晶ディスプレイ）技術である。強誘電性液晶位相は、キラルのスメクチックＣ−位相あるいはキラルにドープされた位相によって形成される。スメクチック層内の分子の縦軸が傾く結果、自発的な、層標準に垂直な偏光が生じる。この偏光の、反対の電場の適用によって、分子の傾く方向および偏光の方向も、逆になる。両方の切り替わる状態は光学上異なり、安定している。反射するＦＬＣＤは、基本的に、偏光子から、液体の結晶の相、および支持鏡より構成される。明暗の状態は、偏光子に関するスメクチック相の傾く方向に依存して作られる。
【００２７】
別の技術は、電気的にアドレス可能なスメクチック液体ディスプレイ（ＥＡＳＬ）からなる。これは、スメクチック液晶の電気光学の効果に基づく液晶ディスプレイである。傾けられていないスメクチック層はディスプレイ電池への適応させられた平行で、また、この状態で、入射光は複屈折しない。ディスプレイは透明に見え、もしくは、有色の反射層で支持される場合、反射層の色が現われる。第２の状態はなにが光りを散乱させるかについて、任意に並べられたフォーカル‐コニカル点領域（ここにおいて散乱光が生成する）によって特徴づけられる。そのとき存在する複屈折により、この散乱する光は白く見え、二色性の染料が加えられる場合、染料の色が現われる。両状態は電気的な電圧の印加により別の状態に変換することができる。
【００２８】
天頂の双安定素子（ＺＢＤ）はネマティック液晶に基づくディスプレイである。この特別なタイプのネマティックのディスプレイで、直流場の影響より、平面のアラインメントあるいはホモトロピックアラインメントが確立されることにより、ネマティックのオーダーの欠陥は、マイクロメータ範囲中の溝構造物によって基板上で引き起こされる。
【００２９】
ＢｉＮｅｍ技術は、ネマティックの２状態の両安定性に基づく。液晶は平面の配向状態にあり、ある基材では、強い端部固定を受け、他では弱い端部固定を受ける。専用電流のパルスは、よりが解かれたバルク構造物と、１８０°によってねじられるバルク構造物の間で切り替えるのに使用できる。偏光子が設けられ、平行に配置された液晶セルが吸収フィルムで支持される場合、よりが解かれた状態は白く見え、その一方でねじられた状態は黒く見える。
【００３０】
コレステロールの液晶ディスプレイ（ＣＨＬＣＤ）の技術はねじられたネマティック液晶相に基づく。キラルのドープ剤と共に提供されるキラルなネマティック相あるいはネマティック相は、分子のレベルで螺旋磁気構造を形成する。ヘリックスの長さが可視光線の波長と等しい場合、それは選択的に反射される（ディスプレイ表面に垂直なヘリックス）か、伝搬される（へリックスがランダム状態）。両方の状態は長期的な安定性を持っており、電気的な電圧の印加により別の状態に変換することができる。
【００３１】
ディスプレイは、さらにＯＬＥＤ（有機的な発光ダイオード）のようなポリマー・ディスプレイであってもよい。このようなディスプレイは、非常に薄いポリマーが２つの電極間で並べられる、多重層システムから成る。その結果、物品識別用紙の代用品として使用することができるように、薄いディスプレイは作成できる。ここにおいて、白黒のディスプレイの使用で十分である。しかし、いくつかの色を備えたより複雑なディスプレイも使用することができる。そのようなＯＬＥＤディスプレイは、ＬＥＤが表示するより少ないエネルギーでよいので、コンテナ識別用に使用されるバッテリーの耐用年数を延長することができるという長所を有する。
【００３２】
発明の特に好ましい実施例では、ディスプレイは電子インクで作成される。化学的に述べると、これらは、反対のチャージを持っており、電場で指向するようになる２つの異なる色コンポーネントを含んでいるマイクロカプセルである。粒子サイズおよびシステムの粘性により、電気的なフィールドのスイッチが切られた直後に、無秩序の状態への戻りは生じない。従って、書かれた情報のどれも失われず、コントラストの減少もほとんど無い。
【００３３】
電気泳動のディスプレイは、特に柔軟性、インパクト抵抗および圧力安定性の機械的な必要条件の点から、好意的な特性を持っている。さらに、それらは十分に双安定の性質を提示します。また、それらは、輸送コンテナ・システムのための典型的な天候をカバーする温度範囲内で機能する。更に、比較的低い起動電圧のおかげで、エネルギー供給のためのスイッチング回路類は単純である。
【００３４】
発明の１つの実施例では、電子ラベルは、データのむしろ双方向搬送のための少なくとも１つの無線インタフェース、および光学上検知できる情報の視覚化のためのディスプレイを有する。インタフェースは好ましくは、チップのようなＲＦＩＤコンポーネントである。さらに、無線インタフェースからディスプレイまでデータを転送する機能は、データ管理のための論理回路に統合される。さらに、ラベルは、適宜、個々のシステムコンポーネントによって必要とされるエネルギーの提供のための回路コンポーネントを含む。
【００３５】
無線インタフェース経由で電子ラベルを操作するために必要とされるエネルギーを伝搬ことが有利であることは証明されている。ディスプレイへの無線インタフェース経由で受け取ったデータの搬送は、例えば適切なディスプレイドライバーに接続されるマイクロコントローラによって果たされる。全体のシステムの様々なコンセプトバリエーションは、リンクするタイプ、およびこれらの基礎的な要素の補足回路類に依存して実現することができる。
【００３６】
アクティブな（単安定）ＬＣＤが使用される場合、ディスプレイ用の永続的なエネルギー供給は必要である。これは適切な容量を備えた、バッテリー、蓄電池あるいはキャパシター・コンデンサーのようなエネルギー貯蔵ユニットの集積化を必要とする。伝搬されるデータはＲＦインタフェースによって受け取られ、直接、格納される。ディスプレイに関連するデータは、ディスプレイを始動させるディスプレイドライバーを備えたマイクロコントローラに伝搬される。データ伝送中に、エネルギーは個別の回路一部分によってＲＦ信号から得られ、その回路は、制御装置とディスプレイの供給を保証する手段によってエネルギー貯蔵ユニットの役目をする。
【００３７】
ＲＦコンポーネントは、ＲＦ信号から直接必要とするエネルギーを得る。このために必要とされるコンポーネントはすべて、このましくは、ＲＦＩＤチップの中にある。対照的に、補足エネルギーを得るための回路類の必要な複雑さは、他の接続しているコンポーネントの供給電圧に大いに依存する。
【００３８】
パッシブ（双安定）ディスプレイが使用される場合、前述のコンセプトの単純化したバリエーションを使用できる。ここで、ＲＦコンポーネント、およびディスプレイ起動を備えたマイクロコントローラの、基本的な要素は維持される。パッシブ・ディスプレイの使用によっても、エネルギー貯蔵ユニットで分配することができる。双安定のディスプレイが、従来のＬＣＤより高い作動電圧で通常作動するので、ディスプレイの動作が変わる。作動電圧を得るために、追加の（受動）コンポーネントを使用することができる。しかし、これはコンポーネントの数を増加させる。
【００３９】
例えば、２つの別個のＲＦコンポーネントは受動（双安定）ディスプレイのために使用することができます。１つのコンポーネントは、ＲＦ信号からのエネルギー獲得のために必要とされる回路類を含んでいる、ＲＦＩＤ−ＩＣコンポーネントであってもよい。ディスプレイの動作に備えられる回路類の一部は、好ましくは、ＲＦＩＤ−ＩＣコンポーネントから分離ように構成される。これは、パッシブ・ディスプレイのより高い供給電圧にさらに必要とされるコンポーネントだけでなく、第２のＲＦコンポーネントの適応を単純化します。ディスプレイに伝搬されるデータは、単に第２のＲＦコンポーネントによってこのように通過し、ディスプレイ動作を備えた後のマイクロコントローラによって表示される。
【００４０】
電子ラベルの別実施例では、ディスプレイを除いて、すべてのコンポーネントにおいて、システムコンポーネントの数はできるだけ低くされ、これらのコンポーネントは、適用特化されたＩＣ内に統合される。このようなＡＳＩＣ（適用特化ＩＣ）もしくは、ＣＳＩＣ（顧客特化ＩＣ）の目的は、最大限に、１つのシングル半導体へ、電子最終生産物に必要とされる機能性を、すべて統合することである。
【００４１】
電子ディスプレイに情報を伝搬するために、情報は生成手段３０の中で生成される。生成手段３０は、生成を、それ自体あるいは中央のデータ処理ユニット７０によるデータの搬送によって実行することができる。さらに、生成のために、オペレータによって、データを入力できる。生成手段３０は、情報を伝搬するための搬送手段４０を持っている装置５０中の提供手段に接続される。
【００４２】
装置５０は、例えばディスプレイの受信範囲内のオペレータによって手で位置決めし、ラベルに情報を送信する携帯型の装置であってもよい。別の好ましい実施例では、搬送用の装置は、その動作範囲において、調査中のコンテナが移動される１つ以上のゲートである。コンテナがゲートを通って移動されている間に、プリプログラムされた情報がコンテナに自動的に送信される。
【００４３】
コンテナが郵便のソートの中で使用され、システムを輸送している場合、コンテナが置かれた場所において、少なくとも一部分の情報の送信をすることは有効である。例えば、郵便局支部中のコンテナは、コンテナの輸送目的地だけでなく、オペレータによってこのコンテナに集められる手紙のタイプも示す情報キャリヤーを通常備えられる。この情報（大部分は一定である）は、永続的に装置に格納することができ、この装置が電子ディスプレイに情報を送信することができるように、近くにコンテナが置かれる。発明の別の実施例では、オペレータは、送信される情報を自由にプログラムしたり、他の情報を加えたりできる。
【００４４】
本発明の設備は、郵便ソート・システムでの使用に有効であり、このシステムにおいて、郵便の入ったコンテナは、様々なソートステーションにおいて、新しい情報キャリヤーが提供される。従来のように、ソート装置はあるソート計画によって入って来る郵便をソートし、装置のいくつかの出口で同じ目的地を持っている郵便の蓄積を行う。この目的地は、既に配達地域あるいはほかに別のソート装置の入口であってもよい。
【００４５】
従来のソート装置の場合には、オペレータはコンテナに紙ラベルを貼るものであり、ソート装置の制御を通じて、当てはまる目的地情報が自動的に印刷され、その後に、装置の適正な出口ポイントでこのコンテナに付けるものである。本発明の設備の使用において、ソートされた郵便の関連する出口ポイントに、この宛先情報を直接送信してもよい。従って、オペレータは、ただ単にコンテナの位置決めを行う必要があるのみであり、宛先情報は、電子ディスプレイに自動的に転送される。この結果、偶然の貼り替わり、およびコンテナの識別におけるエラーは事実上除去することができる。
【００４６】
本設備は、情報をコンテナのラベルに送信するということにより、いくつかの異なる装置を提供することができる。図１の中で示される実施例の中で、コンテナ１０は、そのラベル上の属するディスプレイに基づき、ステーションＡに移動される。このため、この輸送宛先は、搬送を終えた、もしくは、始めたオペレータによって読み取られる。ステーションＡで、輸送された物品は、例えば、変わらない形で、一時的に格納され、空にされ、新しいコンテナにソートおよび／もしくは補充される。
【００４７】
コンテナに新しい識別を送信するための装置５０は、ステーションＡのエリアに設置される。生成手段３０で生成され、装置５０において提供された情報は、ラベルの電子ディスプレイに送信され、この例においては、このラベルには新しいステーションＢが現われる。新しいス輸送テーションはオペレータによって読み取られ、オペレータにより、この情報に基づくステーションＢへの輸送が実行もしくは開始される。
【００４８】
データ伝送の目的のために、装置５０は、ディスプレイの受信手段にデータを送信する送信手段４０を装備している。送信手段は例えば、電子ディスプレイ２０のアンテナで、データを転送するトランスミッターでもよい。電子ディスプレイ２０へのデータの送信はむしろ接触なしに行われる。発明の別実施例において、送信は、送信手段の接触手段を備えたコンテナ・ディスプレイのダイレクトコンタクトによって行われる。例えば、コンテナを受け取るための装置は、一定の位置にコンテナを整列させるものであっても良い。その中で送信手段４０の接触手段は、ディスプレイ２０の対応物に合わさり、固定された接触が確立され、これにより、データを送信することができる。
【００４９】
本発明の別の特に好ましい実施例においては、ラベルの視覚的に検知できる電子ディスプレイは、ＲＦＩＤトランスポータにより提供され、同様にラベルに統合される。この方法で、同じか異なる情報はＲＦＩＤトランスポータに格納することができ、電子ディスプレイ上に表示される。典型的には、ＲＦＩＤ応答機は、コンテナを追跡し、かつ表示された識別以上の情報を格納することができるように輸送統計を生成するために使用される。
【００５０】
応答機６０によって、読み込み読み出しされるデータは、携帯型の装置、ゲートあるいは、個々の位置でインストールされる送信装置によって同様に行ってもよい。この目的のために必要とされる手段は、好ましくは、表示情報を送信する手段に統合されるものである。
【図面の簡単な説明】
【００５１】
【図１】コンテナに入れられる物品の輸送用設備における実施例を示す図。
【符号の説明】
【００５２】
１０  コンテナ
２０  表示手段
３０  生成手段
４０  送信手段
５０  表示情報提供装置
６０  ＲＦＩＤ応答機
７０  中央データ処理ユニット
【図１】
2008508154.tif 000003
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
郵便システムにおいて、郵便を輸送するための設備であって、物品を、少なくとも１つの電子表示手段を備えるコンテナに入れ、複数の移送ステーション間で輸送するものであり、
コンテナの表示手段に表示される情報を生成するための生成手段であって、該情報が少なくとも次の移送ステーションＡのコンテナの情報を有するものと、
表示される情報のデータを提供するための第一の装置における提供手段と、
該第一の装置から、コンテナの表示手段に、データを送信する送信手段と、
表示される情報のデータを提供する第二の装置における提供手段であって、該情報が少なくとも次の移送ステーションＢのコンテナの情報を有するものと、
該第二の装置から、コンテナの表示手段に、データを送信する送信手段と、
を有することを特徴とする物品を輸送するための設備。
【請求項２】
請求項１に記載の設備であって、
前記電子表示手段が単安定液晶ディスプレイに基づく構成要素であることを特徴とする設備。
【請求項３】
請求項１に記載の設備であって、
電子表示手段が双安定の液晶ディスプレイに基づく構成要素であることを特徴とする設備。
【請求項４】
請求項３に記載の設備であって、
双安定の液晶ディスプレイが、ＦＬＣＤ、ＥＡＳＬ、ＺＢＤ、ＢｉＮｅｍあるいはＣｈＬＣＤ技術に基づいたディスプレイであることを特徴とする設備。
【請求項５】
請求項１に記載の設備であって、
電子表示手段が双安定の要素を備えた電子インクに基づく構成要素であることを特徴とする設備。
【請求項６】
請求項１ないし５に記載の設備であって、
表示される情報がテキスト、および／または、グラフィックのイメージであることを特徴とする設備。
【請求項７】
請求項１ないし５に記載の設備であって、
表示される情報が、装置によって光学的に検知できる、暗号化された情報を含むことを特徴とする設備。
【請求項８】
請求項７に記載の設備であって、
表示される情報がバーコードであることを特徴とする設備。
【請求項９】
請求項５もしくは６のいずれか１つもしくは両方に記載の設備であって、
該設備は、表示された暗号化された情報を光学的に検知するための手段を有することを特徴とする設備。
【請求項１０】
請求項１から９の１以上の請求項に記載の設備であって、
コンテナはＲＦＩＤ応答機を有することを特徴とする設備。
【請求項１１】
請求項１０に記載の設備であって、
生成手段、前記装置および送信手段は、ＲＦＩＤ応答機へのデータを生成し送信するための手段を有することを特徴とする設備。
【請求項１２】
請求項１ないし１１の１つ以上の請求項に記載の設備であって、
少なくとも前記生成手段が、中央データ処理ユニットに接続されることを特徴とする設備。
【請求項１３】
請求項１ないし１２の１つ以上の請求項に記載の設備であって、
前記装置が携帯型の装置であることを特徴とする設備。
【請求項１４】
請求項１ないし１２の１つ以上の請求項に記載の設備であって、
前記装置が据えつけられた装置であることを特徴とする設備。
【請求項１５】
郵便システムにおいて郵便を輸送する方法であって、少なくとも１つの電子表示手段を備えるコンテナに入れ、複数の移送ステーション間で物品を輸送する方法において、
コンテナの表示手段に表示される情報の生成手段における生成するステップであって、該情報が少なくとも次の移送ステーションＡのコンテナの情報を有するものと、
第一の装置における、表示される情報を提供するステップと、
装置からコンテナの表示手段に送信手段による、データの送信するステップと、
コンテナの表示手段において、該情報を表示するステップと、
コンテナを前記表示手段において表示された移送ステーションＡに輸送するステップと、
前記移送ステーションＡの第二の装置において、表示される情報を提供するステップであって、該情報が少なくとも次の移送ステーションＢのコンテナの情報を有するものと、
前記第二の装置から前記コンテナの表示手段に、転送手段を介して、データを転送するステップと、
前記コンテナの表示手段に、前記情報を表示するステップと、
を有することを特徴とする物品を輸送する方法。
【請求項１６】
請求項１５に記載の方法であって、
コンテナが前記装置の範囲内にある場合に、表示される情報が自動的に送信されることを特徴とする物品を輸送する方法。
【請求項１７】
請求項１５もしくは１６の一方もしくは両方に記載の方法であって、
表示される情報が、オペレータのマニュアル動作によって送信されることを特徴とする方法。
【手続補正２】
【補正対象書類名】明細書
【補正対象項目名】全文
【補正方法】変更
【補正の内容】
【発明の詳細な説明】
【技術分野】
【０００１】
本発明は、少なくとも１つの電子的表示手段を設けたコンテナに入った状態で輸送される物体の、輸送のために設備に関するものである。
【０００２】
さらに、本発明は、少なくとも１つの電子的表示手段を設けたコンテナに入った状態で輸送される物体の、輸送のための方法に関するものである。
【背景技術】
【０００３】
商品、コンテナ、パッケージング、あるいはパレットのような物体を、視覚的認識による識別に用いるものとして、例えば、内容、輸送目的地や、商品の価格などの情報を伝えるラベルを商品に設けることは、すでに知られた手法である。この識別により、人は必要とする情報を読み取ることができ、適切な行動を行うことができる、例えば、示された目的地へ物品を輸送するなどである。もし、情報が変わる場合には、変わるごとに、問題の物品に新しい識別を適合する必要がある。典型的には、情報は、ラベルを手で取り除き、新しい情報と取り替える。古いラベルは、完全に新しいものに取り替えることができ、例えば、新しいラベルを古いものの上に貼り付けることができる。
【０００４】
そのようなラベルは、例えば特許文献１に記述されている。このラベルは、ディスプレイ層、活性グリッド層、プロセッサー層、アンテナ層および記憶エレメントのような、いくつかの層から構成され、ディスプレイ層は支持物上に配置された電子インクを有する。表示される情報はアンテナ層によってラベルに送信できるものである。
【０００５】
電子ラベルの典型的な使用は、特許文献２に記述されている。これは可変的に商品の価格を示すために電子ラベルを示している。このプロセスでは、電子ラベルは、可変的な価格か付加的な製品情報をディスプレイに供給することができる、商品を置く棚に用いられる。
【０００６】
輸送または物流のシステムでの物品の視覚的に検知できる識別を、電子的に複数回、読み書きできる応答機を含むＲＦＩＤ技術に取り替えることは、同様に既知の手法である。このようなシステムは、応答機に対して、多くの情報を電子的に読み取り、および書き込みできる長所があり、自動輸送、ソート、追跡、あるいは分配を、情報を視覚化するディスプレイなしでコントロールできる。
【０００７】
郵便セクターにおけるＲＦＩＤ応答機の使用の例は、特許文献３に示されている。ＲＦＩＤ応答機は郵便に添付され、郵便物は、読み込みおよび読み出しできる情報に基づいて、ソートされ、最終目的地へ輸送される。
【０００８】
ＲＦＩＤラベルの別の使用は、特許文献４に示されている。これは、応答機を装備したパレットのようなロード・キャリヤーについて示すものである。ここで、所有者、内容あるいはラベルが付けられたロード・キャリヤーのロード・キャリヤー識別番号のような情報が、応答機に格納されている。
【０００９】
特に、郵便のシステムのような物流システムでは、これは従来の紙ラベルを電子ラベルに取り替えることが有用である。識別の信頼性を増加させ、資料、人員、廃棄物処理および他のコストを本質的に縮小できる。
【００１０】
例えば特許文献５において、小包あるいは小包のグループは、ディスプレイを有する電子ラベルを付けられる。そして、英数字および（または）バーコードをディスプレイに示すことができる。ラベルのメモリでは、様々な異なるタイプのデータを保持し、読み取ることができる。小包が送られる場合、例えば、ロジスティクス・サービス・プロバイダーにおけるソート工程、および輸送プロセスの間、新たな情報は、すべてのステーションで、捕らえて、ラベルに格納することができる。例えば、発信人、投函時間および（または）ソートの場所と時間に関するデータが、ラベルに書き込まれる。ソートのために必要とされる、ルーティング情報は、ディスプレイに示されたバーコードから、例えば、バーコード・スキャナによって、読み取られる。
【特許文献１】国際公開第００／１６１８９号パンフレット
【特許文献２】国際公開第００／６７１１０号パンフレット
【特許文献３】国際公開第０３／０９８５３３号パンフレット
【特許文献４】独国実用新案第２０２０７９７２号明細書
【特許文献５】米国特許第５，１５３，８４２号明細書
【発明の開示】
【発明が解決しようとする課題】
【００１１】
本発明の課題は、物品の輸送のための、設備の向上であり、物品は、可変的な識別情報を備えられるコンテナに入って輸送されるものであり、ここにおいて、資料、人員、廃棄物処理およびコストの低減がもたらされるものである。
【課題を解決するための手段】
【００１２】
発明によれば、この物品は、独立クレーム１および１７の内容によって達成され、発明の有利な改善は、従属するクレーム２および１６〜１８、１９までに、含まれる。
【００１３】
本発明の物品輸送のための設備（物品はコンテナに入った状態で輸送される）は少なくとも、１つの電子ディスプレイ手段を備えることを必要とする。少なくとも１つの装置において、当該設備は、さらに表示される情報を提供するための提供手段だけでなく、表示手段に表示される情報を生成するための生成手段をも含む。さらに、この設備は、装置からコンテナの表示手段にデータを送信するための送信手段を含む。生成手段、提供手段および送信手段は、表示手段に情報を送信するための装置を、表示手段に情報を送信する装置を構成する１つの装置の中に組み込むことができる。しかしながら、個々の構成要素も、互いから別々に配置でき、これにともない、データは手段間で送信することもできる。本発明の特に好ましい実施例においては、少なくとも、生成手段が中央のデータ処理ユニットに接続され、当該中央のデータ処理ユニットは、電子ラベルへの情報の流れをコントロールし格納するものである。
【００１４】
発明の特に好ましい実施例においては、輸送される物品は郵便であり、当該郵便は郵便のシステムで輸送されか、またはソートされるものである。データをコンテナの電子ラベルに送る装置としての本設備は、ソート機を有する。オペレータはソート装置の入口にコンテナを送るものであり、コンテナは、調査状態において、ソート装置の開始指示により識別される。ソート工程が終わった後、手紙の積み重ねは、この装置の出口において蓄積される。また、これらの手紙は、コンテナの次の輸送目的地を示す識別を持つコンテナに集められる。この出口においては、コンテナに関係している目的地情報は、コンテナに付けられた電子ディスプレイに自動的に送信される。オペレータはそのディスプレイを読むことができ、コンテナは次のステーションへ輸送される。
【００１５】
輸送コンテナ上の電子表示手段は、例えば、単安定液晶ディスプレイに基づく構成要素をであってもよい。さらに、双安定の液晶ディスプレイに基づく構成要素も使用することができる。このような双安定の液晶ディスプレイとしては、ＦＬＣＤ、ＥＡＳＬ、ＺＢＤ、ＢｉＮｅｍあるいはＣｈＬＣＤ技術に基づくものを用いることができる。発明の別の実施例では、電子表示手段は双安定のエレメントを備えた電子インクに基づく構成要素である。情報は、テキストとして、および（または）グラフィックの像としてこのディスプレイ上に表示することができる。１つの実施例では、表示される情報は、例えば、コンテナの識別用に典型的に使用されるバーコードのような、暗号化された情報含む。バーコード情報を検知するために、この設備は、暗号化された情報を光学的に検知するスキャナのような手段を有する。
【００１６】
発明の特に好ましい実施例では、電子ディスプレイに加えて、輸送されるコンテナはさらにＲＦＩＤ応答機を有する。コンテナの識別は、このように情報、および応答機の視覚的光学的の検知のための手段であるディスプレイとの組み合せであり、この手段の情報は読み込み読み取出し可能である。２つの構成要素に格納されるデータは同じか、ほかに異なる情報であってもよい。読み出し情報に基づいて、コンテナは、自動的に例えば、人がいないエリアで、コントロールすることができる。さらに、コンテナの輸送は追跡することができ、また、輸送統計を生成することができる。
【００１７】
表示される情報だけでなく、応答機データも生成および送信のために、生成手段、前記装置および送信手段は、さらにＲＦＩＤ応答機にデータを送信するための手段を有する。これらの追加の手段は、望ましくは、ディスプレイ情報を処理する手段である。
【００１８】
ソート装置に加えて、情報を送信するために使用される装置は、さらに携帯型の装置、あるいはゲートであってもよい。情報を送信する目的のために、携帯型の装置は、コンテナ識別の受信範囲内のオペレータによって特定される。しかし、ゲートは、コンテナがこの範囲を通って移動する場合、一定の範囲で、情報が自動的に送信される。
【００１９】
本発明は、さらに物品（少なくとも１つの電子表示手段を備えられるコンテナに入った状態で輸送される）を輸送する方法を含む。本発明の方法は、表示手段に表示される情報の生成手段中の生成を必要とするものである。表示される情報は少なくとも１つの装置の中で提供される。また、データは装置からコンテナの表示手段に送信手段によって送信される。
【００２０】
本方法は、コンテナが装置のある範囲内にある場合、表示される情報が自動的に送信されるような方法で構成できる。プロセス・シーケンスの別の可能性は、表示される情報がオペレータによってマニュアル操作によって送信されることである。
【発明の効果】
【００２１】
コンテナの識別のための電子ラベルの使用は、ラベルの張替え不要で、可変的な情報を表示できる長所がある。その結果、資料、人員、廃棄物処理、およびその他のコンテナの識別のためのコストが減少する。更に、ラベルが偶然張り替えられたり、紙ラベルを生成して手で添付したりする必要がない。代わりに、本発明による設備での可変的な情報は、コントロールされモニターすることができ、コンテナ上のシステムに送信することができ、それにより、コンテナ識別の信頼性が高まる。
【発明を実施するための最良の形態】
【００２２】
本願の設備は、１つのシステム内の電子ディスプレイへのデータを生成し送信するための様々な装置を使用できる。これは、輸送の様々なプロセス・シーケンス、および識別が異なるステーションで出されるソートするシステムを構成できるという長所を持つ。設備のいくつかのステーションで、コンテナの柔軟な取り扱いを必要とする状況があるので、例えば、ポータブルの携帯型の装置を使用することが有利とになりえる。しかし、ソート装置の出口のような、他のステーションでは、自動変速装置用の設置された装置が有利になりえる。例えば、コンテナが動いている間、コンテナの輸送を中断するのではなく、新しい識別をむしろ送信することが有利な場合、ゲートを用いることができる。
【実施例１】
【００２３】
発明のさらなる利点、特徴的で実際的な改良は、図１に参照される実施例およびクレームで示される。
【００２４】
図１は、コンテナ１０に入れられる物品の輸送用設備における実施例を示す。これは特に、郵便がいくつかのステーション間において、コンテナに入って輸送される郵便のシステムに適しているばかりではなく、当該設備は、物品上の電子ディスプレイによって物品の可変的な識別が実行される他のシステムでも使用できる。
【００２５】
郵便を輸送するためのコンテナは、互いの上に積み重ねたり、さらに、カバーで閉じたり、する方法で典型的に構成される。コンテナは、少なくとも１つの電子ディスプレイ２０を持っている電子ラベルを備えている。
【００２６】
電子ラベルは少なくとも１つの光学的、あるいは視覚的に検知できる電子ディスプレイを持っている。単安定ディスプレイ・システムにおいては、電力が不足する場合、表示された情報が見えないので、好ましくは、双安定のディスプレイ装置を電子情報媒介として使用する。様々な技術（例えば液晶に基づくもの）はディスプレイとして使用することができる。適切なディスプレイ技術を選択する際に、適用エリアにより、柔軟性、衝撃抵抗、耐用年数、メンテナンス要件、天候抵抗および作動温度範囲、書き込み回数および生成間隔のような尺度を考慮に入れなければならない。
【００２７】
利用できるディスプレイ技術はＦＬＣＤ（強誘電性液晶ディスプレイ）技術である。強誘電性液晶位相は、キラルのスメクチックＣ−位相あるいはキラルにドープされた位相によって形成される。スメクチック層内の分子の縦軸が傾く結果、自発的な、層標準に垂直な偏光が生じる。この偏光の、反対の電場の適用によって、分子の傾く方向および偏光の方向も、逆になる。両方の切り替わる状態は光学上異なり、安定している。反射するＦＬＣＤは、基本的に、偏光子から、液体の結晶の相、および支持鏡より構成される。明暗の状態は、偏光子に関するスメクチック相の傾く方向に依存して作られる。
【００２８】
別の技術は、電気的にアドレス可能なスメクチック液体ディスプレイ（ＥＡＳＬ）からなる。これは、スメクチック液晶の電気光学の効果に基づく液晶ディスプレイである。傾けられていないスメクチック層はディスプレイ電池への適応させられた平行で、また、この状態で、入射光は複屈折しない。ディスプレイは透明に見え、もしくは、有色の反射層で支持される場合、反射層の色が現われる。第２の状態はなにが光りを散乱させるかについて、任意に並べられたフォーカル‐コニカル点領域（ここにおいて散乱光が生成する）によって特徴づけられる。そのとき存在する複屈折により、この散乱する光は白く見え、二色性の染料が加えられる場合、染料の色が現われる。両状態は電気的な電圧の印加により別の状態に変換することができる。
【００２９】
天頂の双安定素子（ＺＢＤ）はネマティック液晶に基づくディスプレイである。この特別なタイプのネマティックのディスプレイで、直流場の影響より、平面のアラインメントあるいはホモトロピックアラインメントが確立されることにより、ネマティックのオーダーの欠陥は、マイクロメータ範囲中の溝構造物によって基板上で引き起こされる。
【００３０】
ＢｉＮｅｍ技術は、ネマティックの２状態の両安定性に基づく。液晶は平面の配向状態にあり、ある基材では、強い端部固定を受け、他では弱い端部固定を受ける。専用電流のパルスは、よりが解かれたバルク構造物と、１８０°によってねじられるバルク構造物の間で切り替えるのに使用できる。偏光子が設けられ、平行に配置された液晶セルが吸収フィルムで支持される場合、よりが解かれた状態は白く見え、その一方でねじられた状態は黒く見える。
【００３１】
コレステロールの液晶ディスプレイ（ＣＨＬＣＤ）の技術はねじられたネマティック液晶相に基づく。キラルのドープ剤と共に提供されるキラルなネマティック相あるいはネマティック相は、分子のレベルで螺旋磁気構造を形成する。ヘリックスの長さが可視光線の波長と等しい場合、それは選択的に反射される（ディスプレイ表面に垂直なヘリックス）か、伝搬される（へリックスがランダム状態）。両方の状態は長期的な安定性を持っており、電気的な電圧の印加により別の状態に変換することができる。
【００３２】
ディスプレイは、さらにＯＬＥＤ（有機的な発光ダイオード）のようなポリマー・ディスプレイであってもよい。このようなディスプレイは、非常に薄いポリマーが２つの電極間で並べられる、多重層システムから成る。その結果、物品識別用紙の代用品として使用することができるように、薄いディスプレイは作成できる。ここにおいて、白黒のディスプレイの使用で十分である。しかし、いくつかの色を備えたより複雑なディスプレイも使用することができる。そのようなＯＬＥＤディスプレイは、ＬＥＤが表示するより少ないエネルギーでよいので、コンテナ識別用に使用されるバッテリーの耐用年数を延長することができるという長所を有する。
【００３３】
発明の特に好ましい実施例では、ディスプレイは電子インクで作成される。化学的に述べると、これらは、反対のチャージを持っており、電場で指向するようになる２つの異なる色コンポーネントを含んでいるマイクロカプセルである。粒子サイズおよびシステムの粘性により、電気的なフィールドのスイッチが切られた直後に、無秩序の状態への戻りは生じない。従って、書かれた情報のどれも失われず、コントラストの減少もほとんど無い。
【００３４】
電気泳動のディスプレイは、特に柔軟性、インパクト抵抗および圧力安定性の機械的な必要条件の点から、好意的な特性を持っている。さらに、それらは十分に双安定の性質を提示します。また、それらは、輸送コンテナ・システムのための典型的な天候をカバーする温度範囲内で機能する。更に、比較的低い起動電圧のおかげで、エネルギー供給のためのスイッチング回路類は単純である。
【００３５】
発明の１つの実施例では、電子ラベルは、データのむしろ双方向搬送のための少なくとも１つの無線インタフェース、および光学上検知できる情報の視覚化のためのディスプレイを有する。インタフェースは好ましくは、チップのようなＲＦＩＤコンポーネントである。さらに、無線インタフェースからディスプレイまでデータを転送する機能は、データ管理のための論理回路に統合される。さらに、ラベルは、適宜、個々のシステムコンポーネントによって必要とされるエネルギーの提供のための回路コンポーネントを含む。
【００３６】
無線インタフェース経由で電子ラベルを操作するために必要とされるエネルギーを伝搬ことが有利であることは証明されている。ディスプレイへの無線インタフェース経由で受け取ったデータの搬送は、例えば適切なディスプレイドライバーに接続されるマイクロコントローラによって果たされる。全体のシステムの様々なコンセプトバリエーションは、リンクするタイプ、およびこれらの基礎的な要素の補足回路類に依存して実現することができる。
【００３７】
アクティブな（単安定）ＬＣＤが使用される場合、ディスプレイ用の永続的なエネルギー供給は必要である。これは適切な容量を備えた、バッテリー、蓄電池あるいはキャパシター・コンデンサーのようなエネルギー貯蔵ユニットの集積化を必要とする。伝搬されるデータはＲＦインタフェースによって受け取られ、直接、格納される。ディスプレイに関連するデータは、ディスプレイを始動させるディスプレイドライバーを備えたマイクロコントローラに伝搬される。データ伝送中に、エネルギーは個別の回路一部分によってＲＦ信号から得られ、その回路は、制御装置とディスプレイの供給を保証する手段によってエネルギー貯蔵ユニットの役目をする。
【００３８】
ＲＦコンポーネントは、ＲＦ信号から直接必要とするエネルギーを得る。このために必要とされるコンポーネントはすべて、このましくは、ＲＦＩＤチップの中にある。対照的に、補足エネルギーを得るための回路類の必要な複雑さは、他の接続しているコンポーネントの供給電圧に大いに依存する。
【００３９】
パッシブ（双安定）ディスプレイが使用される場合、前述のコンセプトの単純化したバリエーションを使用できる。ここで、ＲＦコンポーネント、およびディスプレイ起動を備えたマイクロコントローラの、基本的な要素は維持される。パッシブ・ディスプレイの使用によっても、エネルギー貯蔵ユニットで分配することができる。双安定のディスプレイが、従来のＬＣＤより高い作動電圧で通常作動するので、ディスプレイの動作が変わる。作動電圧を得るために、追加の（受動）コンポーネントを使用することができる。しかし、これはコンポーネントの数を増加させる。
【００４０】
例えば、２つの別個のＲＦコンポーネントは受動（双安定）ディスプレイのために使用することができます。１つのコンポーネントは、ＲＦ信号からのエネルギー獲得のために必要とされる回路類を含んでいる、ＲＦＩＤ−ＩＣコンポーネントであってもよい。ディスプレイの動作に備えられる回路類の一部は、好ましくは、ＲＦＩＤ−ＩＣコンポーネントから分離ように構成される。これは、パッシブ・ディスプレイのより高い供給電圧にさらに必要とされるコンポーネントだけでなく、第２のＲＦコンポーネントの適応を単純化します。ディスプレイに伝搬されるデータは、単に第２のＲＦコンポーネントによってこのように通過し、ディスプレイ動作を備えた後のマイクロコントローラによって表示される。
【００４１】
電子ラベルの別実施例では、ディスプレイを除いて、すべてのコンポーネントにおいて、システムコンポーネントの数はできるだけ低くされ、これらのコンポーネントは、適用特化されたＩＣ内に統合される。このようなＡＳＩＣ（適用特化ＩＣ）もしくは、ＣＳＩＣ（顧客特化ＩＣ）の目的は、最大限に、１つのシングル半導体へ、電子最終生産物に必要とされる機能性を、すべて統合することである。
【００４２】
電子ディスプレイに情報を伝搬するために、情報は生成手段３０の中で生成される。生成手段３０は、生成を、それ自体あるいは中央のデータ処理ユニット７０によるデータの搬送によって実行することができる。さらに、生成のために、オペレータによって、データを入力できる。生成手段３０は、情報を伝搬するための搬送手段４０を持っている装置５０中の提供手段に接続される。
【００４３】
装置５０は、例えばディスプレイの受信範囲内のオペレータによって手で位置決めし、ラベルに情報を送信する携帯型の装置であってもよい。別の好ましい実施例では、搬送用の装置は、その動作範囲において、調査中のコンテナが移動される１つ以上のゲートである。コンテナがゲートを通って移動されている間に、プリプログラムされた情報がコンテナに自動的に送信される。
【００４４】
コンテナが郵便のソートの中で使用され、システムを輸送している場合、コンテナが置かれた場所において、少なくとも一部分の情報の送信をすることは有効である。例えば、郵便局支部中のコンテナは、コンテナの輸送目的地だけでなく、オペレータによってこのコンテナに集められる手紙のタイプも示す情報キャリヤーを通常備えられる。この情報（大部分は一定である）は、永続的に装置に格納することができ、この装置が電子ディスプレイに情報を送信することができるように、近くにコンテナが置かれる。発明の別の実施例では、オペレータは、送信される情報を自由にプログラムしたり、他の情報を加えたりできる。
【００４５】
本発明の設備は、郵便ソート・システムでの使用に有効であり、このシステムにおいて、郵便の入ったコンテナは、様々なソートステーションにおいて、新しい情報キャリヤーが提供される。従来のように、ソート装置はあるソート計画によって入って来る郵便をソートし、装置のいくつかの出口で同じ目的地を持っている郵便の蓄積を行う。この目的地は、既に配達地域あるいはほかに別のソート装置の入口であってもよい。
【００４６】
従来のソート装置の場合には、オペレータはコンテナに紙ラベルを貼るものであり、ソート装置の制御を通じて、当てはまる目的地情報が自動的に印刷され、その後に、装置の適正な出口ポイントでこのコンテナに付けるものである。本発明の設備の使用において、ソートされた郵便の関連する出口ポイントに、この宛先情報を直接送信してもよい。従って、オペレータは、ただ単にコンテナの位置決めを行う必要があるのみであり、宛先情報は、電子ディスプレイに自動的に転送される。この結果、偶然の貼り替わり、およびコンテナの識別におけるエラーは事実上除去することができる。
【００４７】
本設備は、情報をコンテナのラベルに送信するということにより、いくつかの異なる装置を提供することができる。図１の中で示される実施例の中で、コンテナ１０は、そのラベル上の属するディスプレイに基づき、ステーションＡに移動される。このため、この輸送宛先は、搬送を終えた、もしくは、始めたオペレータによって読み取られる。ステーションＡで、輸送された物品は、例えば、変わらない形で、一時的に格納され、空にされ、新しいコンテナにソートおよび／もしくは補充される。
【００４８】
コンテナに新しい識別を送信するための装置５０は、ステーションＡのエリアに設置される。生成手段３０で生成され、装置５０において提供された情報は、ラベルの電子ディスプレイに送信され、この例においては、このラベルには新しいステーションＢが現われる。新しいス輸送テーションはオペレータによって読み取られ、オペレータにより、この情報に基づくステーションＢへの輸送が実行もしくは開始される。
【００４９】
データ伝送の目的のために、装置５０は、ディスプレイの受信手段にデータを送信する送信手段４０を装備している。送信手段は例えば、電子ディスプレイ２０のアンテナで、データを転送するトランスミッターでもよい。電子ディスプレイ２０へのデータの送信はむしろ接触なしに行われる。発明の別実施例において、送信は、送信手段の接触手段を備えたコンテナ・ディスプレイのダイレクトコンタクトによって行われる。例えば、コンテナを受け取るための装置は、一定の位置にコンテナを整列させるものであっても良い。その中で送信手段４０の接触手段は、ディスプレイ２０の対応物に合わさり、固定された接触が確立され、これにより、データを送信することができる。
【００５０】
本発明の別の特に好ましい実施例においては、ラベルの視覚的に検知できる電子ディスプレイは、ＲＦＩＤトランスポータにより提供され、同様にラベルに統合される。この方法で、同じか異なる情報はＲＦＩＤトランスポータに格納することができ、電子ディスプレイ上に表示される。典型的には、ＲＦＩＤ応答機は、コンテナを追跡し、かつ表示された識別以上の情報を格納することができるように輸送統計を生成するために使用される。
【００５１】
応答機６０によって、読み込み読み出しされるデータは、携帯型の装置、ゲートあるいは、個々の位置でインストールされる送信装置によって同様に行ってもよい。この目的のために必要とされる手段は、好ましくは、表示情報を送信する手段に統合されるものである。
【図面の簡単な説明】
【００５２】
【図１】コンテナに入れられる物品の輸送用設備における実施例を示す図。
【符号の説明】
【００５３】
１０  コンテナ
２０  表示手段
３０  生成手段
４０  送信手段
５０  表示情報提供装置
６０  ＲＦＩＤ応答機
７０  中央データ処理ユニット
【国際調査報告】
2008508154.tif 000004
2008508154.tif 000005
2008508154.tif 000006
2008508154.tif 000007
2008508154.tif 000008
2008508154.tif 000009